(57)【要約】【課題】コンテンツの有効期間の開始日時前のコンテンツ情報を提示して、コンテンツ情報が車載器内に存在することを明示的に報知し、事業者及びユーザ双方にとってコンテンツ情報の非提示による不利益を回避して、コンテンツ情報の有益性を高め利便性を向上させること。【解決手段】複数の前記コンテンツ情報を記憶する記憶部、コンテンツ情報に基づく情報を報知する表示部又は音声出力部、記憶部に記憶されている複数のコンテンツ情報のうち、開始日時が現在日時以降に設定されているコンテンツ情報を検索し、当該検索したコンテンツ情報に基づく情報を表示部又は音声出力部により報知させる制御部、を備えた車載器。【選択図】図１０
2010061616.tif 000002
【特許請求の範囲】
【請求項１】
コンテンツ情報をセンター装置から路側無線装置を介して受信する車載器において、
前記コンテンツ情報は、コンテンツの有効期間の開始日時及び終了日時を含む有効期間情報を有し、
複数の前記コンテンツ情報を記憶する記憶手段と、
前記コンテンツ情報に基づく情報を報知する報知手段と、
前記記憶手段に記憶されている複数のコンテンツ情報のうち、前記開始日時が現在日時以降に設定されているコンテンツ情報を検索し、当該検索したコンテンツ情報に基づく情報を前記報知手段により報知させる制御手段と、
を備える車載器。
【請求項２】
前記コンテンツ情報は、当該コンテンツ情報を前記表示手段に報知させる位置を示す情報提供地点情報を有し、
現在地の位置情報を検出する現在地検出手段を備え、
前記制御手段は、
前記記憶手段に記憶されている複数のコンテンツ情報のうち、前記現在地検出手段により検出された現在地の位置情報を含む情報提供地点情報を有するコンテンツ情報を検索し、当該検索されたコンテンツ情報のうち前記開始日時が前記現在日時以降に設定されているコンテンツ情報を検索する、
請求項１に記載の車載器。
【請求項３】
前記制御手段は、
前記開始日時が現在日時以降に設定されているコンテンツ情報が複数ある場合、現在日時と開始日時までの期間が最も短いコンテンツ情報に基づく情報を前記報知手段により報知させる、
請求項１又は２に記載の車載器。
【請求項４】
前記開始日時が前記現在日時以降に設定されているコンテンツ情報の報知許可指示が入力される入力手段を備え、
前記制御手段は、
前記入力手段により入力された報知許可指示に応じて、前記開始日時が前記現在日時以降に設定されているコンテンツ情報に基づく情報を前記報知手段により報知させる、
請求項１から３のいずれか一項に記載の車載器。
【請求項５】
コンテンツ情報をセンター装置から路側無線装置を介して受信する車載器において、
前記コンテンツ情報は、当該コンテンツ情報を識別する識別情報、コンテンツの有効期間の開始日時及び終了日時、現在日時が当該終了日時以降となった場合に遷移するコンテンツ情報の識別情報を示す遷移識別情報とを有し、
複数の前記コンテンツ情報を記憶する記憶手段と、
前記報知手段に前記コンテンツ情報に基づく情報を報知させる場合、前記コンテンツ情報の前記遷移識別情報に対応するコンテンツ情報に遷移させる指示が入力される遷移手段を前記報知手段に設け、前記遷移手段に当該指示が入力された場合、前記遷移識別情報に対応するコンテンツ情報に基づく情報を前記報知手段に報知させる制御手段と、
を備える、車載器。
【請求項６】
前記記憶手段に記憶されているコンテンツ情報のうち前記報知手段に報知させるコンテンツ情報の指定指示が入力される入力手段を備え、
前記制御手段は、
前記入力手段により入力された指定指示に応じたコンテンツ情報に基づく情報を前記報知手段に報知させる場合、前記遷移手段を前記報知手段に設ける、
請求項５に記載の車載器。
【請求項７】
コンテンツ情報をセンター装置から路側無線装置を介して受信する車載器において、
前記コンテンツ情報は、コンテンツの有効期間の開始日時及び終了日時を含む有効期間情報を有し、
前記コンテンツ情報を記憶する記憶手段と、
前記コンテンツ情報に基づく情報を報知する報知手段と、
前記記憶手段に記憶されているコンテンツ情報のうち、前記開始日時が現在日時以降に設定されているコンテンツ情報を抽出し、当該抽出したコンテンツ情報の一覧情報を前記報知手段により報知させる制御手段と、
を備える車載器。
【請求項８】
前記報知手段により報知されたコンテンツ情報の一覧情報のうち、いずれかのコンテンツ情報の選択指示が入力される入力手段を備え、
前記制御手段は、
前記入力手段により入力された選択指示に応じたコンテンツ情報に基づく情報を前記報知手段により報知させる、
請求項７に記載の車載器。
【請求項９】
前記コンテンツ情報は、当該コンテンツ情報の対象地点に関する情報を示す対象地点情報を有し、
前記入力手段は、
前記報知手段により報知されるコンテンツ情報の一覧情報として、前記記憶手段に記憶されているコンテンツ情報のうち前記対象地点情報を有するコンテンツ情報の一覧情報を報知させる対象地点一覧指示が入力され、
前記制御手段は、
前記入力手段により対象地点一覧指示が入力された場合、前記記憶手段に記憶されているコンテンツ情報のうち、前記対象地点情報を有するコンテンツ情報を抽出し、当該抽出したコンテンツ情報のうち、前記開始日時が現在日時以降に設定されているコンテンツ情報を抽出し、当該抽出したコンテンツ情報の一覧情報を前記報知手段により報知させる、
請求項７又は８に記載の車載器。
【請求項１０】
前記コンテンツ情報に基づく情報を前記報知手段により報知させる位置を示す情報提供地点情報を有し、
前記入力手段は、
前記報知手段により報知されるコンテンツ情報の一覧情報として、前記記憶手段に記憶されているコンテンツ情報のうち前記情報提供地点情報を有するコンテンツ情報の一覧情報を報知させる提供地点一覧指示が入力され、
前記入力手段により提供地点一覧指示が入力された場合、前記記憶手段に記憶されているコンテンツ情報のうち、前記情報提供地点情報を有するコンテンツ情報を抽出し、当該抽出したコンテンツ情報のうち、前記開始日時が現在日時以降に設定されているコンテンツ情報を抽出し、当該抽出したコンテンツ情報の一覧情報を前記報知手段により報知させる、
請求項７から９のいずれか一項に記載の車載器。
【請求項１１】
前記制御手段は、
前記コンテンツ情報に基づく情報を前記報知手段に報知させる際、当該コンテンツ情報の開始日時を報知させる、
請求項１から６、８から１０のいずれか一項に記載の車載器。
【請求項１２】
コンテンツ情報を送信するセンター装置と、当該コンテンツ情報を受信する車載器と、が路側無線装置を介してデータ送受信可能に接続された配信システムにおいて、
前記コンテンツ情報は、コンテンツの有効期間の開始日時及び終了日時を含む有効期間情報を有し、
前記車載器は、
複数の前記コンテンツ情報を記憶する記憶手段と、
前記コンテンツ情報に基づく情報を報知する報知手段と、
前記記憶手段に記憶されている複数のコンテンツ情報のうち、前記開始日時が現在日時以降に設定されているコンテンツ情報を検索し、当該検索したコンテンツ情報に基づく情報を前記報知手段により報知させる制御手段と、
を備える配信システム。
【発明の詳細な説明】
【技術分野】
【０００１】
本発明は、車載器及び配信システムに関する。
【背景技術】
【０００２】
近年、ＤＳＲＣ（Dedicated Short Range Communication）等を利用して路上に設置された路側無線装置と狭域無線通信を行い、当該路側無線装置を介してセンター装置から情報提供を受けることが可能な車載器がある。このような車載器を用いたシステムとして、車両が路側無線装置の通信範囲内にある間のみ車両に搭載された車載器と路側無線装置との双方向通信が可能となり、この間にセンター装置が路側無線装置を介して、コンテンツ情報（例えば、周辺の店舗や医療機関の情報、広告等）を配信するものがある。
【０００３】
センター装置から配信されたコンテンツ情報を記憶し、そして、センター装置と通信できない環境においても、当該コンテンツ情報を再生可能とする車載器が開示されている（特許文献１参照）。
【特許文献１】特開２００７−１０９０３２号公報
【発明の開示】
【発明が解決しようとする課題】
【０００４】
車載器が受信するコンテンツ情報に、コンテンツ情報に含まれるコンテンツの開始日時及び終了日時を示す有効期間をコンテンツ情報を提供する事業者等により予め設定すること検討されている。
【０００５】
この場合車載器は、現在日時が有効期間内のコンテンツ情報を提供する。しかし、有効期間を過ぎたコンテンツ情報の取り扱いは任意であるため、車載器は、有効期間を過ぎた情報を削除したり、又は、保有し提示したりすることも可能である。ただし、有効期間の開始日時が現在日時前であるコンテンツ情報が開始日時よりも前には提示されないように規定することも検討されている。
【０００６】
このような車載器において、あるコンテンツ情報の有効期間の開始日時よりも前、及び、終了日時よりも後に当該車載器が利用された場合、当該有効期間のコンテンツ情報はユーザに提示されない。このような状況は、有効期間が短いコンテンツ情報において頻繁に発生すると予想される。
【０００７】
従って、車載器に有用なコンテンツ情報があるにも拘らず、ユーザに提示されない状況が発生する可能性が起こり得る。一方、事業者がコンテンツ情報により広告効果を期待している場合には、期待する効果が得られないという状況が発生するし、また、ユーザはコンテンツ情報による有益な情報を得られないという状況が発生する。
【０００８】
本発明の課題は、上記問題に鑑みて、コンテンツの有効期間の開始日時前のコンテンツ情報を提示して、コンテンツ情報が車載器内に存在することを明示的に報知し、事業者及びユーザ双方にとってコンテンツ情報の非提示による不利益を回避して、コンテンツ情報の有益性を高め利便性を向上させることである。
【課題を解決するための手段】
【０００９】
請求項１に記載の発明は、コンテンツ情報をセンター装置から路側無線装置を介して受信する車載器において、前記コンテンツ情報は、コンテンツの有効期間の開始日時及び終了日時を含む有効期間情報を有し、複数の前記コンテンツ情報を記憶する記憶手段と、前記コンテンツ情報に基づく情報を報知する報知手段と、前記記憶手段に記憶されている複数のコンテンツ情報のうち、前記開始日時が現在日時以降に設定されているコンテンツ情報を検索し、当該検索したコンテンツ情報に基づく情報を前記報知手段により報知させる制御手段と、を備える車載器である、ことを特徴としている。
【００１０】
請求項２に記載の発明は、請求項１に記載の車載器において、前記コンテンツ情報は、当該コンテンツ情報を前記表示手段に報知させる位置を示す情報提供地点情報を有し、現在地の位置情報を検出する現在地検出手段を備え、前記制御手段は、前記記憶手段に記憶されている複数のコンテンツ情報のうち、前記現在地検出手段により検出された現在地の位置情報を含む情報提供地点情報を有するコンテンツ情報を検索し、当該検索されたコンテンツ情報のうち前記開始日時が前記現在日時以降に設定されているコンテンツ情報を検索する、ことを特徴としている。
【００１１】
請求項３に記載の発明は、請求項１又は２に記載の車載器において、前記制御手段は、前記開始日時が現在日時以降に設定されているコンテンツ情報が複数ある場合、現在日時と開始日時までの期間が最も短いコンテンツ情報に基づく情報を前記報知手段により報知させる、ことを特徴としている。
【００１２】
請求項４に記載の発明は、請求項１から３のいずれか一項に記載の車載器において、前記開始日時が前記現在日時以降に設定されているコンテンツ情報の報知許可指示が入力される入力手段を備え、前記制御手段は、前記入力手段により入力された報知許可指示に応じて、前記開始日時が前記現在日時以降に設定されているコンテンツ情報に基づく情報を前記報知手段により報知させる、ことを特徴としている。
【００１３】
請求項５に記載の発明は、コンテンツ情報をセンター装置から路側無線装置を介して受信する車載器において、前記コンテンツ情報は、当該コンテンツ情報を識別する識別情報、コンテンツの有効期間の開始日時及び終了日時、現在日時が当該終了日時以降となった場合に遷移するコンテンツ情報の識別情報を示す遷移識別情報とを有し、複数の前記コンテンツ情報を記憶する記憶手段と、前記報知手段に前記コンテンツ情報に基づく情報を報知させる場合、前記コンテンツ情報の前記遷移識別情報に対応するコンテンツ情報に遷移させる指示が入力される遷移手段を前記報知手段に設け、前記遷移手段に当該指示が入力された場合、前記遷移識別情報に対応するコンテンツ情報に基づく情報を前記報知手段に報知させる制御手段と、を備える車載器である、ことを特徴としている。
【００１４】
請求項６に記載の発明は、請求項５に記載の車載器において、前記記憶手段に記憶されているコンテンツ情報のうち前記報知手段に報知させるコンテンツ情報の指定指示が入力される入力手段を備え、前記制御手段は、前記入力手段により入力された指定指示に応じたコンテンツ情報に基づく情報を前記報知手段に報知させる場合、前記遷移手段を前記報知手段に設ける、ことを特徴としている。
【００１５】
請求項７に記載の発明は、コンテンツ情報をセンター装置から路側無線装置を介して受信する車載器において、前記コンテンツ情報は、コンテンツの有効期間の開始日時及び終了日時を含む有効期間情報を有し、前記コンテンツ情報を記憶する記憶手段と、
前記コンテンツ情報に基づく情報を報知する報知手段と、前記記憶手段に記憶されているコンテンツ情報のうち、前記開始日時が現在日時以降に設定されているコンテンツ情報を抽出し、当該抽出したコンテンツ情報の一覧情報を前記報知手段により報知させる制御手段と、を備える車載器である、ことを特徴としている。
【００１６】
請求項８に記載の発明は、請求項７に記載の車載器において、前記報知手段により報知されたコンテンツ情報の一覧情報のうち、いずれかのコンテンツ情報の選択指示が入力される入力手段を備え、前記制御手段は、前記入力手段により入力された選択指示に応じたコンテンツ情報に基づく情報を前記報知手段により報知させる、ことを特徴としている。
【００１７】
請求項９に記載の発明は、請求項７又は８に記載の車載器において、前記コンテンツ情報は、当該コンテンツ情報の対象地点に関する情報を示す対象地点情報を有し、前記入力手段は、前記報知手段により報知されるコンテンツ情報の一覧情報として、前記記憶手段に記憶されているコンテンツ情報のうち前記対象地点情報を有するコンテンツ情報の一覧情報を報知させる対象地点一覧指示が入力され、前記制御手段は、前記入力手段により対象地点一覧指示が入力された場合、前記記憶手段に記憶されているコンテンツ情報のうち、前記対象地点情報を有するコンテンツ情報を抽出し、当該抽出したコンテンツ情報のうち、前記開始日時が現在日時以降に設定されているコンテンツ情報を抽出し、当該抽出したコンテンツ情報の一覧情報を前記報知手段により報知させる、ことを特徴としている。
【００１８】
請求項１０に記載の発明は、請求項７から９のいずれか一項に記載の車載器において、前記コンテンツ情報に基づく情報を前記報知手段により報知させる位置を示す情報提供地点情報を有し、前記入力手段は、前記報知手段により報知されるコンテンツ情報の一覧情報として、前記記憶手段に記憶されているコンテンツ情報のうち前記情報提供地点情報を有するコンテンツ情報の一覧情報を報知させる提供地点一覧指示が入力され、前記入力手段により提供地点一覧指示が入力された場合、前記記憶手段に記憶されているコンテンツ情報のうち、前記情報提供地点情報を有するコンテンツ情報を抽出し、当該抽出したコンテンツ情報のうち、前記開始日時が現在日時以降に設定されているコンテンツ情報を抽出し、当該抽出したコンテンツ情報の一覧情報を前記報知手段により報知させる、ことを特徴としている。
【００１９】
請求項１１に記載の発明は、請求項１から６、８から１０のいずれか一項に記載の車載器において、前記制御手段は、前記コンテンツ情報に基づく情報を前記報知手段に報知させる際、当該コンテンツ情報の開始日時を報知させる、ことを特徴としている。
【００２０】
請求項１２に記載の発明は、コンテンツ情報を送信するセンター装置と、当該コンテンツ情報を受信する車載器と、が路側無線装置を介してデータ送受信可能に接続された配信システムにおいて、前記コンテンツ情報は、コンテンツの有効期間の開始日時及び終了日時を含む有効期間情報を有し、前記車載器は、複数の前記コンテンツ情報を記憶する記憶手段と、前記コンテンツ情報に基づく情報を報知する報知手段と、前記記憶手段に記憶されている複数のコンテンツ情報のうち、前記開始日時が現在日時以降に設定されているコンテンツ情報を検索し、当該検索したコンテンツ情報に基づく情報を前記報知手段により報知させる制御手段と、を備える配信システムである、ことを特徴としている。
【発明の効果】
【００２１】
本発明によれば、コンテンツの有効期間の開始日時前のコンテンツ情報を提示でき、コンテンツ情報が車載器内に存在することを明示的に報知できる。従って、事業者及びユーザ双方にとってコンテンツ情報の非提示による不利益を回避でき、コンテンツ情報の有益性を高め利便性を向上させることができる。
【発明を実施するための最良の形態】
【００２２】
以下、図を参照して本発明の実施の形態を詳細に説明する。
まず、構成を説明する。
図１に、本実施の形態における配信システム１００の構成図を示す。
配信システム１００は、図１に示すように、車両Ｃに搭載された車載器１０、路側無線装置２０、センター装置３０により構成される。センター装置３０は、路側無線装置２０を介して車載器１０にコンテンツ情報を配信する。
路側無線装置２０は、路上や駐車場等に設置される。各路側無線装置２０は、ネットワークＮを介してセンター装置３０と接続されている。また、路側無線装置２０と車両Ｃの車載器１０とは、ＤＳＲＣ通信が可能である。
【００２３】
なお、コンテンツ情報とは、店舗の広告や駐車場、医療施設の案内等のコンテンツ（テキスト情報、画像情報、音情報）の他、コンテンツを提供する事業者に関する情報、コンテンツの有効期限の情報（例えば、有効期限の開始日時や終了日時）、サービスを提供可能な対象地点の情報（例えば、広告している店舗の地点を示す緯度経度や店舗名等）、指定したコンテンツの通知を行うポップアップの再生をする地点（例えば、ポップアップの再生地点を示す緯度経度、ポップアップを再生する道路種別や車両の進入方向を指定する情報等）、コンテンツの表示画面の遷移情報（次に表示する画面を指定する情報等）、嗜好情報等を含む情報である。詳細は後述する。
【００２４】
図１では１台のセンター装置３０のみ示したが、コンテンツ情報を配信する配信事業者は複数ある。そのため、センター装置３０は、配信事業者毎に備えられるものであってもよい。
【００２５】
以下、各構成装置について詳細に説明する。
図２に、路側無線装置及び路側エリアを説明するための図を示す。
路側無線装置２０は、図２に示すように本体装置２０ａとアンテナ２０ｂとから構成されている。路側無線装置２０は、道路脇、道路上方又は駐車場脇等に設置されたアンテナ２０ｂから、到達距離が限定されたＤＳＲＣの電波を放射して、路側無線装置２０近傍に路側エリアＺを形成する。路側無線装置２０は、この路側エリアＺ内にある車両Ｃの車載器１０とだけ双方向狭域無線通信が可能となる。以下、路側無線装置２０と車載器１０間の狭域無線通信を路車間通信という場合がある。
【００２６】
ＤＳＲＣは５．８ＧＨｚ帯域の電波を使った通信方式である。ＤＳＲＣの通信範囲は、例えば数メートルから数十メートルである。路側無線装置２０からのＤＳＲＣの送信出力は、何れも同じ程度に設定されている。従って、複数の路側無線装置２０がそれぞれ形成する路側エリアＺは、設置場所に関係なく、ほぼ一定である。
【００２７】
本体装置２０ａは、車載器１０とセンター装置３０間の情報のやりとりを仲介するための処理を行う。すなわち、本体装置２０ａは、アンテナ２０ｂを介して車載器１０から受信された情報をセンター装置３０に転送し、センター装置３０から送信されたコンテンツ情報を車載器１０へ転送する。本体装置２０ａとしては、情報処理や通信制御を行う制御部、記憶部等を備えたコンピュータ端末を適用することができる。なお、ここでは本体装置２０ａは、センター装置３０と別体として説明したが、本体装置２０ａがセンター装置３０の一部又は全部の機能を兼ね備えるようにしてもよい。
【００２８】
車載器１０は、車両Ｃに搭載され、搭載された車両Ｃを目的地へ誘導するための処理等を行うナビゲーション機能の他、ＤＳＲＣによるＥＴＣ（Electronic Toll Collection System）利用のための処理を行う機能等を有している。
【００２９】
図３に、本実施の形態における車載器１０の構成を示す。
図３に示すように、車載器１０は、カーナビ部１、ＶＩＣＳ（Vehicle Information and Communication System）モジュール２、ＤＳＲＣ部３、制御部４、無線通信部５等を備えて構成されている。なお、無線通信部５は、必要に応じて備えていることが好ましい。
【００３０】
カーナビ部１は、カーナビ制御部１ａ、現在地検出部１ｂ、地図記憶部１ｃ、入力部１ｄ、表示部１ｅ、記憶部１ｆ、音声出力部１ｇ等を備えている。カーナビ部１は、車両Ｃの現在地から目的地までの経路を算出し、当該経路に従って車両Ｃを目的地へ誘導するための処理を行う。
【００３１】
カーナビ制御部１ａは、現在地検出部１ｂから検出された現在地の位置情報及び地図記憶部１ｃに記憶された地図ＤＢ等に基づいて、車両Ｃの現在地から入力部１ｄを介して設定された目的地までの経路を算出する。そして、カーナビ制御部１ａは、地図記憶部１ｃに記憶されている地図ＤＢを用いて算出した経路へ誘導するための地図画面を生成し、表示部１ｅにより表示させる。
【００３２】
現在地検出部１ｂは、ＧＰＳアンテナ、角度センサ、方位センサ、距離センサ等の各種センサを備え、これらセンサによる検出結果に基づいて車両Ｃの現在地を検出する。ＧＰＳアンテナは、ＧＰＳ衛星から送信されるＧＰＳ信号を検出する。また、角度センサは、移動方向の変化量を示す車両Ｃの加速度を検出する。方位センサは、地磁気の検出を行って車両Ｃの絶対方位を検出する。現在地検出部１ｂは、これらセンサから取得した各検出結果に基づいて車両Ｃの現在地の位置情報（経度、緯度等の情報）を生成し、カーナビ制御部１ａに出力し、現在地検出手段として機能する。
【００３３】
地図記憶部１ｃは、メモリやＤＶＤ等の記録媒体から構成され、案内表示に必要な地図ＤＢ、ＶＩＣＳモジュール２を介して受信されるガイド情報（道路情報、渋滞情報等）等を記憶している。地図ＤＢは、表示用の地図画面、経路探索用の情報、施設や公園等の地点の情報等を含んでいる。地点の情報は、例えば地点の名称、緯度経度、住所、電話番号等である。
【００３４】
入力部１ｄは、操作キーや表示部１ｅのモニタと一体に構成されるタッチパネル等から構成されている。入力部１ｄは、これらの操作に対応する操作信号を生成し、カーナビ制御部１ａに出力する。
【００３５】
表示部１ｅは、モニタを備え、制御部４やカーナビ制御部１ａ表示制御に従ってモニタ上に各種情報を表示する。表示部１ｅは、各種設定画面や地図画面、センター装置３０から受信したコンテンツ情報のコンテンツの画面等の各種画面を表示し、報知手段として機能する。
【００３６】
記憶部１ｆは、メモリから構成され、制御部４やカーナビ制御部１ａにより実行される制御プログラム、プログラムの実行に必要なパラメータやデータ等を記憶している。また、記憶部１ｆは、センター装置３０から受信した複数のコンテンツ情報を記憶する記憶手段として機能する。
【００３７】
音声出力部１ｇは、音声処理部、Ｄ／Ａ変換器、増幅器、スピーカ等を備える。音声出力部１ｇは、制御部４やカーナビ制御部１ａから指示された音声データをＤ／Ａ変換器によりアナログ信号に変換してスピーカにより音声出力する。また、音声出力部１ｇは、制御部４やカーナビ制御部１ａから指示されたコンテンツ情報の表音文字列データに基づいて音声処理部により合成音声信号を生成し、合成音声信号をスピーカにより出力する報知手段として機能する。
【００３８】
ＶＩＣＳモジュール２は、光通信用、ＦＭ通信用、２．４ＧＨｚ電波通信用のアンテナをそれぞれ備え、ＶＩＣＳセンターと光通信、ＦＭ通信、電波通信を行う。ＶＩＣＳモジュール２は、ＶＩＣＳセンターから渋滞情報や道路交通情報等を受信し、制御部４に出力する。
【００３９】
ＤＳＲＣ部３は、ＤＳＲＣ制御部３ａ、ＤＳＲＣ通信部３ｂ、記憶部３ｃ、ＥＴＣ処理部３ｄ、ＩＣカードＩ／Ｆ部３ｅを備えて構成されている。ＤＳＲＣ部３は、ＤＳＲＣによるＥＴＣ利用のための処理や、センター装置３０からコンテンツ情報等の各種情報を送信受信するための通信処理等を行う。
【００４０】
ＤＳＲＣ制御部３ａは、ＣＰＵ、ＲＡＭ等から構成され、記憶部３ｃに記憶されている制御プログラムとの協働によりＤＳＲＣ部３の各部の動作を制御する。
例えば、ＥＴＣによる決済を行う場合、ＤＳＲＣ制御部３ａは、ＤＳＲＣ通信部３ｂの通信動作を制御してＥＴＣ基地局（ＥＴＣ決済を行うためにＥＴＣゲート付近等に設けられる無線基地局）と決済情報の送受信を行わせ、ＥＴＣ処理部３ｄにより決済情報の書込処理を行わせる。
【００４１】
また、ＤＳＲＣ制御部３ａは、センター装置３０へのコンテンツ情報等の受信要求を行う場合、制御部４の指示に従って記憶部３ｃのアップリンク情報記憶領域３ｃ１に記憶されている各種情報を、ＤＳＲＣ通信部３ｂにより路側無線装置２０を介してセンター装置３０に送信させる一方、ＤＳＲＣ通信部３ｂにより路側無線装置２０を介してコンテンツ情報等を受信した場合はこれを制御部４に出力する。
【００４２】
ＤＳＲＣ通信部３ｂは、車両Ｃのダッシュボード上でフロントガラス近傍に固設されたアンテナを備え、このアンテナを介して路側無線装置２０やＥＴＣ基地局等と、ＤＳＲＣの電波の送受信を行う。
【００４３】
記憶部３ｃは、ＤＳＲＣ制御部３ａにより実行される制御プログラム等を記憶している。また、記憶部３ｃには、アップリンク情報記憶領域３ｃ１が設けられている。アップリンク情報記憶領域３ｃ１は、センター装置３０に情報を提供するために専用に設けられた記憶領域であり、アップリンク情報の他、車載器１０の特性情報が記憶される。
【００４４】
特性情報とは、車載器１０の機器特性に関する情報をいう。特性情報には、車載器１０に個々に割り振られたＩＤ（以下、車載器ＩＤという）、車載器１０が対応できる言語、地図の測地系、著作権管理技術、表示部１ｅのモニタの解像度、ＳＶＧ（Scalable Vector Graphics）の対応性、コンテンツ情報を蓄積可能な記憶容量等の情報が含まれる。
【００４５】
アップリンク情報とは、センター装置３０において配信するコンテンツ情報を選択するために用いる情報であり、記憶部１ｆに記憶されているコンテンツ情報の後述する情報コードを含む配信要求情報である。なお、アップリンク情報は、制御部４によってサービス事業者に応じた内容でサービス事業者毎に生成され、最新の内容となるように制御部４が常に更新を行っている。
【００４６】
図４に、アップリンク情報の例を示す。
図４に示すように、アップリンク情報は、サービス事業者コード（ユーザがコンテンツ情報の配信について契約をしたサービス事業者を示すコード）、車両Ｃの目的地、経由地数識別フラグ、経由地、嗜好ジャンルテーブルデータ、嗜好情報バージョン、会員情報、車両Ｃが過去に立寄った過去立寄地、車両Ｃに搭載されている車載器１０が受信し記憶しているコンテンツ情報の数を示す受信数識別フラグ、受信し記憶している各コンテンツ情報の受信／再生履歴等の情報が含まれている。
【００４７】
受信／再生履歴情報には、受信情報コードや再生識別フラグが含まれている。
受信情報コードは、車載器１０が受信したコンテンツ情報に付与されている識別コードである。再生識別フラグは、受信したコンテンツ情報が表示部１ｅに表示される等して再生されたか否かを示す情報である。なお、この受信／再生履歴情報に、再生時の緯度経度情報や時刻情報等が含まれてもよい。
【００４８】
ＥＴＣ処理部３ｄは、ＩＣカードＩ／Ｆ部３ｅに挿抜されるＩＣ付きクレジットカード又はデビットカード等に対して決済情報等の読み書きを行う。
【００４９】
ＩＣカードＩ／Ｆ部３ｅは、上記クレジットカード等のスロットを備え、このスロットに挿入されたクレジットカード等のＩＣとＥＴＣ処理部３ｄとの間で情報のやりとりを仲介する。
【００５０】
制御部４は、ＣＰＵ（Central Processing Unit）、ＲＡＭ（Random Access Memory）等から構成され、記憶部１ｆに記憶された制御プログラムとの協働により各種演算を行う他、各部の集中制御を行う。例えば、制御部４は、ＤＳＲＣ部３のＤＳＲＣ通信動作や無線通信部５の通信動作を制御する。なお、制御部４は、ＤＳＲＣ部３の制御にあたってはＤＳＲＣ部３のＤＳＲＣ制御部３ａとの協働により制御を行う。その他、制御部４は、センター装置３０から受信したコンテンツ情報やＶＩＣＳモジュール２を介して受信した交通情報等の保存、再生制御等を行う。
【００５１】
また、制御部４は、ＣＰＵのクロックを利用して計時が可能であり、現在日時を生成する内部タイマーとしての機能を有する。現在日時としては、年、月、日、時、分、秒等である。
【００５２】
更に制御部４は、第１有効期限前コンテンツ情報提示処理と、第２有効期限前コンテンツ情報提示処理と、第３有効期限前コンテンツ情報提示処理とを実行する制御手段として機能する。
【００５３】
第１有効期限前コンテンツ情報提示処理では、記憶部１ｆに記憶されている複数のコンテンツ情報のうち、現在地検出部１ｂにより検出された現在地の位置情報を含む提供地点情報を有するコンテンツ情報が検索され、当該検索されたコンテンツ情報のうちコンテンツの有効期間の開始日時が現在日時以降に設定されているコンテンツ情報が検索され、検索されたコンテンツ情報に基づく画面が表示部１ｅに表示されたり、検索されたコンテンツ情報に基づく音声データが音声出力部１ｇから出力されたりする。
【００５４】
第２有効期限前コンテンツ情報提示処理では、表示部１ｅにコンテンツ情報に基づく画面が表示される場合、コンテンツ情報の有効期限後の次再生情報コードに対応するコンテンツ情報に遷移する指示が入力される遷移手段としての次へボタンが画面上に設けられ、次ボタンが押下された場合、有効期限後の次再生情報コードに対応するコンテンツ情報に基づく画面が表示部１ｅに表示される。なお、有効期限後の次再生情報コードについては、後述する。
【００５５】
第３有効期限前コンテンツ情報提示処理では、記憶部１ｆに記憶されているコンテンツ情報のうち、コンテンツの有効期間の開始日時が現在日時以降に設定されているコンテンツ情報が抽出され、当該抽出されたコンテンツ情報の一覧情報を示すコンテンツ一覧画面が表示部１ｅに表示される。
【００５６】
無線通信部５は、携帯電話やＰＨＳ、ＬＡＮカード等の無線通信デバイス４０を用いるＰＤＣ（Personal Digital Cellular）、ＣＤＭＡ（Code Division Multiple Access）の他、ＷｉＭＡＸ（World wide Interoperability for Microwave Access）等による無線通信が可能な通信モジュールを備えて、センター装置３０と無線通信を行う。
なお、無線通信部５は、上述したような無線通信手段だけでなく、有線通信手段（例えば、ＰＬＣ；Power Line Communication等）を備え、センター装置とデータのやり取りを行ってもよい。
【００５７】
次に、センター装置３０について説明する。
センター装置３０は、複数のコンテンツ情報を記憶し、記憶した複数のコンテンツ情報を車載器１０に配信する。
図５に、センター装置３０の機能的構成を示す。
図５に示すように、センター装置３０は、制御部３１、入力部３２、表示部３３、記憶部３４、通信部３５を備える。
【００５８】
制御部３１は、ＣＰＵ、ＲＡＭ等から構成され、記憶部３４に記憶された制御プログラムとの協働により各種演算を行う他、各部を集中制御する。例えば、制御部３１は、車載器１０に配信するコンテンツ情報の編成を行う。編成とは、コンテンツ情報をはじめから作り出すことの他、予めコンテンツ情報を構成するのに必要なパーツの情報を記憶しておき、パーツの情報を用いてコンテンツ情報を組み立てたり、予め作成して記憶しておいたコンテンツ情報を変更、一部削除したり、他の情報を追加したりすることも含む。
【００５９】
制御部３１は、受信したアップリンク情報に応じて、当該アップリンク情報含まれる受信情報コードに対応するコンテンツ情報を記憶部３４から取得し、当該コンテンツ情報を通信部３５により車載器に送信させる。制御部３１は、アップリンク情報に応じたコンテンツ情報を送信する際、当該コンテンツ情報の遷移先となるコンテンツ情報も同時に送信する。
【００６０】
入力部３２はキーボード等を備えて操作入力を受け付け、当該操作入力に応じた操作信号を制御部３１に出力する。
【００６１】
表示部３３はディスプレイを備え、制御部３１の表示制御に従ってディスプレイ上に各種画面を表示する。
【００６２】
記憶部３４には、制御部３１により実行されるプログラムの他、プログラムの実行に必要な各種データが記憶されている。記憶部３４には、コンテンツ情報の配信サービスに加入する契約を行う際にユーザが会員登録を行うため、会員登録されたユーザの氏名、住所等の特定情報が会員データベースとして記憶されている。さらに記憶部３４には、ユーザが所有する車載器１０の車載器ＩＤ等の情報がユーザ毎にデータベース化されて記憶されている。
【００６３】
センター装置３０では、記憶部３４に記憶されているデータベースからコンテンツ情報が取得され、必要であれば情報の削除、追加、変更等の編集が行われ、配信するコンテンツ情報の編成が行われる。配信するコンテンツ情報が複数ある場合は、それらがひとまとまりの配信グループとして車載器１０に送信される。
【００６４】
コンテンツ情報とは、店舗の広告や駐車場、医療施設の案内等のコンテンツ（テキスト情報、画像情報、音情報）だけではなく、コンテンツを提供するサービス事業者の情報等の他の配信すべき情報を含めたひとまとまりの情報をいう。
【００６５】
図６に、コンテンツ情報のフォーマットの一例を示す。
図６に示すように、コンテンツ情報には、個々にＩＤが付された情報、例えば構成ＩＤ情報、サービス事業者情報、情報提供企業情報、再生条件、有効期限、提供時間、対象地点情報、情報提供地点、遷移情報等が含まれている。
【００６６】
ＩＤ＝００の構成ＩＤ情報は、コンテンツ情報内に含まれる情報のＩＤの一覧を示す（記述する）。ＩＤ＝００の構成ＩＤを参照することにより、コンテンツ情報内にどの情報が含まれているかを判断することができる。
【００６７】
ＩＤ＝０１のサービス事業者情報は、サービス事業者を特定するための情報であり、例えば、事業者コード等である。
【００６８】
ＩＤ＝０２の情報提供企業情報は、コンテンツの情報に関する詳細な情報である。例えば、情報提供企業情報は、企業コード、企業表示テキスト、情報コード、情報表示テキスト等である。企業コードは、サービス事業者によって割り当てられたコンテンツの提供元を示す。情報コードは、サービス事業者がコンテンツ情報毎にユニークに割り付けたコードを示す。情報表示テキストは、コンテンツ内容を示すテキスト情報である。
【００６９】
ＩＤ＝０３の再生条件は、コンテンツ情報の再生条件に関する情報であり、例えば即時／蓄積コード等を含む。即時／蓄積コードは、受信完了後即時に再生するコンテンツであるか、受信したコンテンツ情報を路側エリアＺ外でも利用可能なコンテンツとして蓄積するか、を表す識別子である。
【００７０】
ＩＤ＝０４の有効期限は、コンテンツの有効期間（有効期限）を示す情報であり、例えば、コンテンツの有効期間の開始日時を示す開始年月日時分、終了日時を示す終了年月日時分を秒単位で示している。
また、ＩＤ＝０４の有効期限には、有効期限後の次再生情報コードが含まれている。この有効期限後の次再生情報コードは、現在日時が終了日時以降となった場合に、当該コンテンツ情報に基づく画面の遷移先となるコンテンツ情報の識別情報（情報コード）を示す遷移識別情報である。
【００７１】
ＩＤ＝０５の提供時間は、コンテンツで示された店舗等の営業時間や、コンテンツの情報提供時間等である。
【００７２】
ＩＤ＝１０の対照地点情報は、コンテンツによるサービスの提供が可能な対象地点（店舗や施設など）についての情報である。対象地点情報は、例えば、対象地点座標（緯度経度）、対象地点名称等を示す対象地点表示用テキスト、アイコン表示画像データ、対象地点の説明や広告やお知らせ等の情報提供すべきコンテンツである表示用文字データ、表示画像データ、表音文字列データ等の各種テキストデータ、画像データ、音声データ等である。
【００７３】
ＩＤ＝２０の情報提供地点の情報には、コンテンツを表示部１ｅや音声出力部１ｇにより再生する複数の位置の情報や、当該位置で再生されるコンテンツが含まれる。
情報提供地点は、特定の場所で特定の方向から車両Ｃが進入した際に、特定のコンテンツ情報を再生する地点であり、指定された位置を中心とする円状の提供範囲で規定される。ＩＤ＝２０の情報提供地点の情報は、この情報提供地点として指定された情報提供中心座標（緯度経度）、情報提供エリア、車両Ｃの進入方向を示す情報提供方向コードと、情報提供地点で再生するコンテンツの表示画像データや表音文字列データ等からなる。
【００７４】
ＩＤ＝３０の遷移情報は、複数のコンテンツ情報に基づく画面（ＩＤ＝１０の対象地点情報の画面）を遷移させて表示する場合に用いる情報である。遷移情報は、次再生情報コード有無フラグ、次再生情報コードを含む。次再生情報コード有無フラグは、各次再生情報コードの有無を示す。次再生情報コードは、次の遷移先の画面のコンテンツ情報の情報コードである。本実施の形態では、最大８つの次再生情報コードを格納可能とし、次再生情報コード有無フラグを８ｂｉｔで示す。
【００７５】
上記の他、詳細情報（ＩＤ＝４０）、駐車場満空情報（ＩＤ＝５０）、駐車場静的情報更新（ＩＤ＝５１）、削除駐車場ＩＤ情報（ＩＤ＝５２）、運転支援情報（ＩＤ＝６４）、嗜好データ（ＩＤ＝８０）等を含んでもよい。
【００７６】
なお、この他、異なる番号のＩＤを付与して新たな情報内容を定義してもよい。上記の各ＩＤの情報が必ずしも全てコンテンツ情報に含まれている必要はなく、必要に応じてコンテンツ情報に含められる。例えば、あるコンテンツ情報はＩＤ＝００〜０５、ＩＤ＝１０により特徴付けられた情報を持ち、また別のあるコンテンツ情報はＩＤ＝００〜０５、ＩＤ＝２０、ＩＤ＝３０により特徴付けられた情報を持つ。尚、ＩＤ＝００〜０５は、基本的な情報である。従って、全てのコンテンツ情報は、ＩＤ＝００〜０５の情報を持つ。
【００７７】
通信部３５は、路側無線装置２０とＤＳＲＣ通信又はその他の無線通信を行うための通信用インターフェイスを備え、制御部３１の通信制御に従って通信処理を実行する。
【００７８】
次に、動作について説明する。
図７を参照して、コンテンツ情報を配信する際におけるセンター装置３０、路側無線装置２０、車載器１０の処理の流れを説明する。
【００７９】
図７に示すように、まず車両Ｃのエンジンが起動され車載器１０の電源が投入されると（ステップＳ１）、制御部４は、車載器１０の特性情報を生成し、記憶部３ｃのアップリンク情報記憶領域３ｃ１に書き込む（ステップＳ２）。制御部４は、表示部１ｅ等の各部に問い合わせて、或いは予め記憶部１ｆに記憶されている情報を読み出す等して特性情報を取得し、アップリンク情報記憶領域３ｃ１の対応する領域に書き込む。なお、実際には制御部４が書込を指示する制御情報をＤＳＲＣ制御部３ａに出力し、このＤＳＲＣ制御部３ａが特性情報をアップリンク情報記憶領域３ｃ１に書き込む。
【００８０】
その後、車両Ｃが走行を開始し、路側無線装置２０の路側エリアＺに進入すると（エリアイン）、路側無線装置２０は、車両Ｃを検出する。また、車載器１０のＤＳＲＣ制御部３ａがＤＳＲＣ通信による接続処理を開始する（ステップＳ３ａ、Ｓ３ｂ）。すなわち、路側無線装置２０は、ＤＳＲＣの電波を送出し、車載器１０からの応答が得られると、通信路を確立する。路側無線装置２０は、通信路を確立するとセンター装置３０に対し接続が完了した旨の通知情報を送信する（ステップＳ４ａ）。一方、車載器１０のＤＳＲＣ部３は、制御部４に対し接続が完了した旨の通知情報を出力する（ステップＳ４ｂ）。
【００８１】
次いで、路側無線装置２０は、車載器１０のＤＳＲＣ部３に対し、アップリンク情報記憶領域３ｃ１内の情報の送信要求を行う。この送信要求を受けた車載器１０のＤＳＲＣ部３は、アップリンク情報記憶領域３ｃ１に書き込まれている特性情報を路側無線装置２０に送信する（ステップＳ５）。特性情報は、路側無線装置２０を介してセンター装置３０に送信される。次いで、制御部４は、アップリンク情報を生成し、アップリンク情報記憶領域３ｃ１に書き込む（ステップＳ６）。
【００８２】
センター装置３０は、車載器１０に対し定期的にポーリングを行って（ステップＳ７）、アップリンク情報記憶領域３ｃ１に書き込まれたアップリンク情報を要求する。
車載器１０のＤＳＲＣ部３は、センター装置３０からのポーリングに応じてアップリンク情報記憶領域３ｃ１に記憶されているアップリンク情報を、路側無線装置２０を介してセンター装置３０に送信する（ステップＳ８）。
【００８３】
センター装置３０は、記憶部３４に記憶されているコンテンツ情報のうち、受信した特性情報及びアップリンク情報に応じたコンテンツ情報を読み出して車載器１０に送信する（ステップＳ９）。車載器１０では、受信したコンテンツ情報が記憶部１ｆに保存される（ステップＳ１０）。
【００８４】
その後、センター装置３０では、配信すべきコンテンツ情報が全て配信された後、配信終了を通知するメッセージ情報が制御部３１により生成されて車載器１０に送信される（ステップＳ１１）。この配信終了のメッセージ情報は、ユーザに対しエリアアウトを促すためのものである。車載器１０は、このメッセージ情報を受信し表示部１ｅに表示する。その後、車載器１０の制御部４は、路側無線装置２０との通信が一定時間途絶えると、配信を終了したと判断し、アップリンク情報を削除する制御を行う（ステップＳ１２）。この制御に応じて、ＤＳＲＣ制御部３ａは、アップリンク情報記憶領域３ｃ１内のアップリンク情報を削除する。
【００８５】
次に、車載器１０において実行される第１有効期限前コンテンツ情報提示処理について説明する。第１有効期限前コンテンツ情報提示処理では、提供地点情報テーブルが用いられる。この提供地点情報テーブルは、ＩＤ＝２０の情報提供地点の情報が含まれているコンテンツ情報を管理するものである。
【００８６】
まず、車載器１０においてコンテンツ情報を受信した際に実行される提供地点情報テーブル作成処理を説明する。図８に、提供地点情報テーブル作成処理のフローチャートを示す。なお、図８に示す処理は、車載器１０の制御部４が各部と協働して実行するものとする。
【００８７】
制御部４は、コンテンツ情報を受信すると、受信したコンテンツ情報のうち、いずれか１つを選択する（ステップＳ２１）。制御部４は、選択したコンテンツ情報のＩＤ＝００を参照し、ＩＤ＝２０（情報提供地点）が含まれているか否かを判別する（ステップＳ２２）。選択したコンテンツ情報のＩＤ＝００にＩＤ＝２０が含まれていない場合（ステップＳ２２；ＮＯ）、提供地点情報テーブル作成処理は終了する。
【００８８】
選択したコンテンツ情報のＩＤ＝００にＩＤ＝２０が含まれている場合（ステップＳ２２；ＹＥＳ）、制御部４は、選択したコンテンツ情報のＩＤ＝２０に含まれる複数の情報提供地点のうち提供地点情報テーブルとして登録済みとなった情報提供地点の数（情報提供地点数）ｎを０に設定する（ステップＳ２３）。
【００８９】
制御部４は、選択したコンテンツ情報のＩＤ＝２０に含まれている複数の情報提供地点のうち、いずれか１つを参照する。制御部４は、参照している情報提供地点の情報提供中心座標、情報提供エリア、情報提供方位コードを抽出する（ステップＳ２４）。
【００９０】
制御部４は、選択したコンテンツ情報のＩＤ＝０１に含まれる事業者コードを抽出する（ステップＳ２５）。また、制御部４は、選択したコンテンツ情報のＩＤ＝０２に含まれる企業コード、情報コードを抽出する（ステップＳ２６）。更に、制御部４は、選択したコンテンツ情報のＩＤ＝０４に含まれる有効期限の開始年月日時分秒（開始日時）及び終了年月日時分秒（終了日時）を抽出する（ステップＳ２７）。
【００９１】
制御部４は、ステップＳ２４〜Ｓ２７において抽出した各情報を対応付けて提供地点情報テーブルとして記憶部１ｆに登録する（ステップＳ２８）。
【００９２】
図９に、提供地点情報テーブルの例を示す。
図９に示すように、提供地点情報テーブルには、情報提供中心座標、情報提供エリア、情報提供方位コード、事業者コード、企業コード、情報コード、有効期限の開始年月日時分秒及び終了年月日時分秒が登録される。
【００９３】
制御部４は、登録済みの情報提供地点数ｎに１を加算する（ステップＳ２９）。制御部４は、選択したコンテンツ情報のＩＤ＝２０に含まれる情報提供地点の総数Ｎを抽出する（ステップＳ３０）。
【００９４】
制御部４は、登録済みの情報提供地点数ｎが情報提供地点の総数Ｎ未満であるか否かを判別する（ステップＳ３１）。制御部４は、登録済みの情報提供地点数ｎが情報提供地点の総数Ｎ未満である場合（ステップＳ３１；ＹＥＳ）、選択したコンテンツ情報のＩＤ＝２０に含まれている未登録の情報提供地点のうち、いずれか１つを参照し（ステップＳ３２）、ステップＳ２４の処理に戻る。
【００９５】
登録済みの情報提供地点数ｎが情報提供地点の総数Ｎ未満でない場合（ステップＳ３１；ＮＯ）、制御部４は、受信したコンテンツ情報のうち、未選択のコンテンツ情報があるか否かを判別する（ステップＳ３３）。受信したコンテンツ情報のうち未選択のコンテンツ情報がある場合（ステップＳ３３；ＹＥＳ）、制御部４は、ステップＳ２１の処理に戻る。
【００９６】
受信したコンテンツ情報のうち未選択のコンテンツ情報がない場合（ステップＳ３３；ＮＯ）、提供地点情報テーブル作成処理は終了する。
【００９７】
コンテンツ情報のＩＤ＝２０には、複数の情報提供地点が含まれている。そのため、制御部４の提供支店情報テーブル作成処理により、図９に示すような提供地点情報テーブルが情報提供地点毎に作成される。例えば、ＩＤ＝２０に５つの情報提供地点が含まれている場合、ステップＳ２４〜Ｓ３２の処理が５回繰り返され、５つの提供地点情報テーブルが作成されることとなる。
【００９８】
図１０に、第１有効期限前コンテンツ情報提示処理のフローチャートを示す。
なお、図１０に示す処理は、車載器１０の制御部４が各部と協働して実行するものとする。
【００９９】
制御部４は、現在地検出部１ｂから現在地の位置情報（緯度、経度）と、現在の進行方向とを取得する（ステップＳ４１）。
【０１００】
制御部４は、記憶部１ｆに登録されている複数の提供地点情報テーブルのうち取得した現在地の位置情報及び現在の進行方向が提供位置条件を満たす提供地点情報テーブルを検索する（ステップＳ４２）。提供位置条件とは、情報提供中心座標、情報提供エリア、情報提供コードに基づいて定められるものである。
【０１０１】
制御部４は、ステップＳ４２の検索条件に該当する提供地点情報テーブルがあるか否かを判別する（ステップＳ４３）。
【０１０２】
ステップＳ４２の検索条件に該当する提供地点情報テーブルがない場合、即ち、取得した現在地の位置情報及び現在の進行方向が提供位置条件を満たす提供地点情報テーブルがない場合（ステップＳ４３；ＮＯ）、第１有効期限前コンテンツ情報提示処理は終了する。
【０１０３】
ステップＳ４２の検索条件に該当する提供地点情報テーブルがある場合、即ち、取得した現在地の位置情報及び現在の進行方向が提供位置条件を満たす提供地点情報テーブルがある場合（ステップＳ４３；ＹＥＳ）、制御部４は、この判別結果に該当する提供地点情報テーブルの有効期限（開始年月日時分秒及び終了年月日時分秒）と現在日時とを比較する。そして制御部４は、現在日時が有効期限内（開始年月日時分秒から終了年月日時分秒以内）の提供地点情報テーブルを検索する（ステップＳ４４）。
【０１０４】
制御部４は、ステップＳ４４の検索条件に該当する提供地点情報テーブルがあるか否かを判別する（ステップＳ４５）。
【０１０５】
制御部４は、ステップＳ４４の検索条件に該当する提供地点情報テーブルがある場合、即ち、現在日時が有効期限内の提供地点情報テーブルがある場合（ステップＳ４５；ＹＥＳ）、現在日時から終了年月日時分秒までの期間が最も短い提供地点情報テーブルを選出する（ステップＳ４６）。
【０１０６】
ステップＳ４６において、複数の提供地点情報テーブルが選出された場合、制御部４は、予め定められた選出条件に基づいて、いずれか一つの提供地点情報テーブルを選出する。選出条件の例としては、各提供地点情報テーブルの情報コードに基に対応するコンテンツ情報を参照してＩＤ＝０５に含まれる情報提供時間に現在日時が含まれていること、提供地点情報テーブルとして記憶部１ｆに記憶された日時が最も新しいこと、ステップＳ４４の検索条件に最初に検索されたこと、を用いることができる。
【０１０７】
制御部４は、ステップＳ４６後、ユーザ設定情報を取得する（ステップＳ４７）。
このユーザ設定情報は、第１有効期限前コンテンツ情報提示処理が実行される前に、入力部１ｄにより設定された各種情報であり、報知許可指示情報を含む。
報知許可指示情報は、開始年月日時分秒が現在日時以降に設定されているコンテンツ情報に基づく画面を表示部１ｅに表示又は音声データを音声出力部１ｇから出力することを許可するか否かを示すものである。この報知許可指示情報は、図１１に示すような設定画面により設定され、表示部１ｅに表示される図１１に示す設定画面と入力部１ｄによるタッチパネルとが報知許可指示情報が入力される入力手段として機能する。
【０１０８】
図１１に示すように、設定画面Ｇ１には、メッセージ領域Ｍ１、はいボタンＢ１１、いいえボタンＢ１２が設けられている。メッセージ領域Ｍ１には、「有効期限開始日時前の情報を表示しますか？」等の報知許可指示情報を問うメッセージが表示される。
【０１０９】
はいボタンＢ１１が選択された場合、報知許可指示情報は、開始年月日時分秒が現在日時以降に設定されているコンテンツ情報に基づく画面を表示部１ｅに表示又は音声データを音声出力部１ｇから出力することを許可することを示す。
いいえボタンＢ１２が選択された場合、報知許可指示情報は、開始年月日時分秒が現在日時以降に設定されているコンテンツ情報に基づく画面を表示部１ｅに表示又は音声データを音声出力部１ｇから出力することを許可しないことを示す。
【０１１０】
制御部４は、ユーザ設定情報に含まれる報知許可指示情報に基づいて、開始年月日時分秒が現在日時以降に設定されているコンテンツ情報に基づく画面が表示部１ｅに表示又は音声データが音声出力部１ｇから出力されることが許可されているか否かを判別する（ステップＳ４８）。
【０１１１】
報知許可指示情報が許可しないことを示している場合（ステップＳ４８；ＮＯ）、第１有効期限前コンテンツ情報提示処理は終了する。報知許可指示情報が許可することを示している場合（ステップＳ４８；ＹＥＳ）、制御部４は、ステップＳ４９の処理へ進む。
【０１１２】
ステップＳ４４の検索条件に該当する提供地点情報テーブルがない場合、即ち、現在日時が有効期限内の提供地点情報テーブルがない場合（ステップＳ４５；ＮＯ）、又は、ステップＳ４８；ＮＯ後、制御部４は、開始年月日時分秒が現在日時以降に設定されている提供地点情報テーブルを検索する（ステップＳ４９）。
【０１１３】
制御部４は、ステップＳ４９の検索条件に該当する提供地点情報テーブルがあるか否かを判別する（ステップＳ５０）。
【０１１４】
ステップＳ４９の検索条件に該当する提供地点情報テーブルがない場合、即ち、開始年月日時分秒が現在日時以降に設定されている提供地点情報テーブルがない場合（ステップＳ５０；ＮＯ）、第１有効期限前コンテンツ情報提示処理は終了する。
【０１１５】
ステップＳ４９の検索条件に該当する提供地点情報テーブルがある場合、即ち、開始年月日時分秒が現在日時以降に設定されている提供地点情報テーブルがある場合（ステップＳ５０；ＹＥＳ）、制御部４は、現在日時から開始年月日時分秒までの期間が最も短い提供地点情報テーブルを選出する（ステップＳ５１）。
【０１１６】
ステップＳ５１において、複数の提供地点情報テーブルが選出された場合、制御部４は、ステップＳ４６と同様に、予め定められた選出条件に基づいて、いずれか一つの提供地点情報テーブルを選出する。選出条件は、ステップＳ４６と同様であるため、説明は省略する。
【０１１７】
制御部４は、選出した提供地点情報テーブルから、事業者コード、企業コード、情報コード、情報提供中心座標、情報提供方位コードを取得する（ステップＳ５２）。
【０１１８】
制御部４は、記憶部１ｆに記憶されているコンテンツ情報のうち、取得した事業者コード、企業コード、情報コードが一致するコンテンツ情報を特定する（ステップＳ５３）。
【０１１９】
制御部４は、ステップＳ５３において特定したコンテンツ情報内のＩＤ＝２０を参照し、ステップＳ５２において取得した情報提供中心座標と情報提供方位コードと一致する情報提供地点を特定する（ステップＳ５４）。
【０１２０】
制御部４は、ステップＳ５４において特定した情報提供地点の表示画像データや表音文字列データ等からなるコンテンツを取得し、当該コンテンツに応じた画面を表示部１ｅに表示、又は、音声を音声出力部１ｇから出力させ（ステップＳ５５）、第１有効期限前コンテンツ情報提示処理を終了する。
【０１２１】
次に、第２有効期限前コンテンツ情報提示処理を説明する。
第２有効期限前コンテンツ情報提示処理は、コンテンツ情報に基づいて表示部１ｅに表示されている画面から遷移する画面のコンテンツ情報（遷移先コンテンツ情報）が有効期限内であり、かつ、遷移先コンテンツ情報の有効期限後に表示されるコンテンツ情報がある場合、当該有効期限後に表示されるコンテンツ情報に基づく画面を表示させるものである。
【０１２２】
コンテンツ情報に含まれるＩＤ＝３０の遷移情報の次再生情報コードと、ＩＤ＝０４の有効期限後の次再生情報コードとに基づいて、記憶部１ｆ内の各コンテンツ情報のコンテンツの画面遷移を示すツリー構造が構成される。図１２に、ツリー構造の例を示し、また、図１２に示すツリー構造の各コンテンツ情報の設定情報を図１３に示す。
【０１２３】
図１２、図１３に示すように、例えば、コンテンツ情報Ｘには、画面遷移先を示す次再生情報コードとしてコンテンツ情報Ａとコンテンツ情報Ｙの情報コードが設定されている。また、コンテンツ情報Ｘには、有効期限後の次再生情報コードとして、「０ｘＦＦＦＦＦＦＦＦＦＦ」が設定されている。この「０ｘＦＦＦＦＦＦＦＦＦＦ」は、有効期限後に再生するコンテンツ情報がないことを示すコードである。以下、「０ｘＦＦＦＦＦＦＦＦＦＦ」を遷移なしコードとも称す。
【０１２４】
コンテンツ情報Ａには、次再生情報コードとしてコンテンツ情報Ｚの情報コードが設定されており、有効期限後の次再生情報コードとしてコンテンツ情報Ｂの情報コードが設定されている。コンテンツ情報Ｂには、次再生情報コードとしてコンテンツ情報Ｚの情報コードが設定されており、有効期限後の次再生情報コードとして「０ｘＦＦＦＦＦＦＦＦＦＦ」が設定されている。従って、コンテンツ情報Ａの有効期限後には、コンテンツ情報Ｂがコンテンツ情報Ａに替わって再生されることとなる。
【０１２５】
コンテンツ情報Ａの有効期限後に遷移するコンテンツ情報Ｂは、コンテンツ情報Ａと同様の種類の内容であることが好ましい。例えば、コンテンツ情報Ａがクーポン情報である場合には、コンテンツ情報Ｂもクーポン情報であることが好ましい。
【０１２６】
図１４に、第２有効期限前コンテンツ情報提示処理のフローチャートを示す。なお、図１４に示す処理は、車載器１０の制御部４が各部と協働して実行するものとする。
【０１２７】
制御部４は、指定された情報コードのコンテンツ情報を記憶部１ｆから選択する（ステップＳ６１）。指定された情報コードとは、表示部１ｅに表示されている画面上の押下されたボタンにより画面遷移するコンテンツ情報の情報コードである。即ち、表示部１ｅに表示されている画面と入力部１ｄのタッチパネルとが、記憶部１ｆに記憶されているコンテンツ情報のうち表示部１ｅに表示させるコンテンツ情報の指定指示が入力される入力手段として機能する。
【０１２８】
制御部４は、選択したコンテンツ情報のＩＤ＝００を参照し、ＩＤ＝３０（遷移情報）が含まれているか否かを判別する（ステップＳ６２）。選択したコンテンツ情報のＩＤ＝００にＩＤ＝３０が含まれていない場合（ステップＳ６２；ＮＯ）、制御部４は、ステップＳ６８の処理に進む。
【０１２９】
選択したコンテンツ情報のＩＤ＝００にＩＤ＝３０が含まれている場合（ステップＳ６２；ＹＥＳ）、制御部４は、次再生情報コード有無フラグのｂｉｔ１を参照ビットに設定する（ステップＳ６３）。
【０１３０】
制御部４は、参照ビットが０か否かを判別する（ステップＳ６４）。参照ビットが０である場合（ステップＳ６４；ＹＥＳ）、制御部４は、ステップＳ６６の処理へ進む。
【０１３１】
参照ビットが０でない場合（ステップＳ６４；ＮＯ）、制御部４は、ステップＳ６１において選択したコンテンツ情報に基づく画面上に遷移ボタンを設けて表示させる設定を行なう（ステップＳ６５）。遷移ボタンは、参照ビットに対応する次再生情報コードのコンテンツ情報に遷移させる指示を受け付けるものである。
【０１３２】
制御部４は、ステップＳ６４；ＹＥＳ後、又はステップＳ６５後、参照ビットが８か否かを判別する（ステップＳ６６）。参照ビットが８でない場合（ステップＳ６６；ＮＯ）、制御部４は、参照ビットを１ビット分移動させ（ステップＳ６７）、ステップＳ６４の処理に戻る。
【０１３３】
参照ビットが８である場合（ステップＳ６６；ＹＥＳ）、又はステップＳ６２；ＮＯ後、制御部４は、有効期限後の次再生情報コードが遷移なしコードであるか否かを判別する（ステップＳ６８）。有効期限後の次再生情報コードが遷移なしコードである場合（ステップＳ６８；ＹＥＳ）、制御部４は、ステップＳ７０の処理に進む。
【０１３４】
有効期限後の次再生情報コードが遷移なしコードでない場合（ステップＳ６８；ＮＯ）、ステップＳ６１において選択したコンテンツ情報に基づく画面上に次へボタンを設けて表示させる設定を行なう（ステップＳ６９）。次へボタンは、有効期限後の次再生情報コードのコンテンツ情報に遷移させる指示を受け付けるものである。
【０１３５】
制御部４は、ステップＳ６８；ＮＯ後、又はステップＳ６９後、ステップＳ６１において選択したコンテンツ情報のＩＤ＝００を参照し、ＩＤ＝１０（対照地点情報）が含まれているか否かを判別する（ステップＳ７０）。
【０１３６】
選択したコンテンツ情報のＩＤ＝００にＩＤ＝１０が含まれていない場合（ステップＳ７０；ＮＯ）、制御部４は、第２有効期限前コンテンツ情報提示処理を終了する。
【０１３７】
選択したコンテンツ情報のＩＤ＝００にＩＤ＝１０が含まれている場合（ステップＳ７０；ＹＥＳ）、制御部４は、ＩＤ＝１０の表示用文字データ、表示画像データ、表音文字列データ等の情報に基づく画面を生成し、ステップＳ６５、ステップＳ６９において設定したボタンを生成した画面に設け、当該画面を表示部１ｅに表示し、また、ＩＤ＝１０の音声データに基づく音声を音声出力部１ｇから出力させ（ステップＳ７１）、第２有効期限前コンテンツ情報提示処理を終了する。
【０１３８】
図１５に、図１２に示すコンテンツ情報Ａに基づくコンテンツ画面の例を示し、図１６に、図１２に示すコンテンツ情報Ｂに基づくコンテンツ画面の例を示す。
【０１３９】
図１５に示すコンテンツ画面Ｇ２ａは、第２有効期限前コンテンツ情報提示処理が実行されたことによりステップＳ７１で表示部１ｅに表示される。
図１５に示すようにコンテンツ画面Ｇ２ａには、遷移ボタンＢ２１、次へボタンＢ２２、戻るボタンＢ２３が設けられている。遷移ボタンＢ２１が押下された場合、図１２に示すコンテンツ情報Ｚに遷移する指示が入力される。次へボタンＢ２２が押下された場合、図１２に示すコンテンツ情報Ｂに遷移する指示が入力される。戻るボタンＢ２３が押下された場合、コンテンツ情報Ｘの画面に戻る指示が入力される。
【０１４０】
図１６に示すコンテンツ画面Ｇ２ｂは、図１５に示すコンテンツ画面Ｇ２ａの次へボタンＢ２２が押下された場合に表示される。
図１６に示すようにコンテンツ画面Ｇ２ｂには、遷移ボタンＢ２１、戻るボタンＢ２３、有効期限開始情報表示領域Ｅ２が設けられている。有効期限開始情報表示領域Ｅ２には、コンテンツ情報Ｂの開始日時（ＩＤ＝０４の開始年月日時分秒）が表示される。なお、遷移ボタンＢ２１、戻るボタンＢ２３は、図１５と同様であるため、説明は省略する。
【０１４１】
第３有効期限前コンテンツ情報提示処理は、ＩＤ＝０４の有効期限の開始年月日時分秒が現在日時以降に設定されているコンテンツ情報の一覧情報を示すコンテンツ一覧画面を表示部１ｅに表示するものである。コンテンツ一覧画面は、２種類ある。コンテンツ情報によりサービスが提供される地点を示すＩＤ＝１０（対象地点情報）に基づいて生成されたコンテンツ一覧画面と、コンテンツ情報が再生される地点を示すＩＤ＝２０（情報提供地点）に基づいて生成されたコンテンツ一覧画面とである。
【０１４２】
図１７に、コンテンツ一覧画面の種類を選択する選択画面Ｇ３の例を示す。
選択画面Ｇ３は、２種類のコンテンツ一覧画面のいずれか一方の選択指示を受け付ける。選択画面Ｇ３は、入力部１ｄからの操作指示に応じて表示部１ｅに表示される。
図１７に示すように、選択画面Ｇ３には、地域情報ボタンＢ３ａ、特定地点情報ボタンＢ３ｂ、戻るボタンＢ３ｃが設けられている。
【０１４３】
地域情報ボタンＢ３ａは、ＩＤ＝１０（対象地点情報）に基づいて生成されたコンテンツ一覧画面を表示させる指示を受け付ける。地域情報ボタンＢ３ａが押下されると、図１８に示す処理が制御部４により実行される。特定地点情報ボタンＢ３ｂは、ＩＤ＝２０（情報提供地点）に基づいて生成されたコンテンツ一覧画面を表示させる指示を受け付ける。特定地点情報ボタンＢ３ｂが押下されると、図２４に示す処理が制御部４により実行される。戻るボタンＢ３ｃは、選択画面Ｇ３の遷移前の画面に戻る指示を受け付ける。
【０１４４】
まず、ＩＤ＝１０に基づいてコンテンツ一覧画面を生成する第３有効期限前コンテンツ情報提示処理について説明する。
図１８に、ＩＤ＝１０に基づく第３有効期限前コンテンツ情報提示処理のフローチャートを示す。なお、図１８に示す処理は、車載器１０の制御部４が各部と協働して実行するものとする。
【０１４５】
図１７に示す選択画面Ｇ３の地域情報ボタンＢ３ａが押下されると、制御部４は、記憶部１ｆにコンテンツ情報が１つ以上記憶されているか否かを判別する（ステップＳ８１）。
【０１４６】
記憶部１ｆにコンテンツ情報が１つ以上記憶されていない場合（ステップＳ８１；ＮＯ）、制御部４は、一覧表示するために該当するコンテンツ情報が無い旨を示すメッセージを表示部１ｅに表示、又は、音声出力部１ｇにより音声出力させ（ステップＳ８２）、ＩＤ＝１０に基づいてコンテンツ一覧画面を生成する第３有効期限前コンテンツ情報提示処理を終了する。
【０１４７】
記憶部１ｆにコンテンツ情報が１つ以上記憶されている場合（ステップＳ８１；ＹＥＳ）、制御部４は、記憶部１ｆに記憶されているコンテンツ情報のうち、いずれか１つを選択する（ステップＳ８３）。
【０１４８】
制御部４は、選択したコンテンツ情報のＩＤ＝００を参照し（ステップＳ８４）、ＩＤ＝１０（対象地点情報）が含まれているか否かを判別する（ステップＳ８５）。
【０１４９】
選択したコンテンツ情報のＩＤ＝００にＩＤ＝１０が含まれていない場合（ステップＳ８５；ＮＯ）、制御部４は、ステップＳ９０の処理に進む。選択したコンテンツ情報のＩＤ＝００にＩＤ＝１０が含まれている場合（ステップＳ８５；ＹＥＳ）、制御部４は、選択したコンテンツ情報のＩＤ＝００にＩＤ＝０４（有効期限）が含まれているか否かを判別する（ステップＳ８６）。
【０１５０】
選択したコンテンツ情報のＩＤ＝００にＩＤ＝０４が含まれていない場合（ステップＳ８６；ＮＯ）、制御部４は、ステップＳ９０の処理に進む。選択したコンテンツ情報のＩＤ＝００にＩＤ＝０４が含まれている場合（ステップＳ８６；ＹＥＳ）、制御部４は、選択したコンテンツ情報のＩＤ＝０４を参照し、開始年月日時分秒が現在日時以降か否かを判別する（ステップＳ８７）。
【０１５１】
開始年月日時分秒が現在日時以降でない場合（ステップＳ８７；ＮＯ）、制御部４は、ステップＳ９０の処理に進む。開始年月日時分秒が現在日時以降である場合（ステップＳ８７；ＹＥＳ）、制御部４は、選択したコンテンツ情報のＩＤ＝０２に含まれている情報表示テキストとＩＤ＝０４に含まれる開始年月日時分秒とを取得し、コンテンツ一覧テーブルに選択したコンテンツ情報のレコードのフィールドとして登録する（ステップ８８）。
【０１５２】
制御部４は、選択したコンテンツ情報のＩＤ＝０１に含まれる事業者コードと、ＩＤ＝０２に含まれる企業コード及び情報コードとを取得し、コンテンツ一覧テーブルに選択したコンテンツ情報のレコードのフィールドとして登録する（ステップＳ８９）。
【０１５３】
制御部４は、記憶部１ｆ内に未選択のコンテンツ情報があるか否かを判別する（ステップＳ９０）。記憶部１ｆ内に未選択のコンテンツ情報がある場合（ステップＳ９０；ＹＥＳ）、制御部４は、未選択のコンテンツ情報のうちいずれか１つを選択し（ステップＳ９１）、ステップＳ８４の処理に戻る。
【０１５４】
記憶部１ｆ内に未選択のコンテンツ情報がない場合（ステップＳ９０；ＮＯ）、制御部４は、コンテンツ一覧テーブルに１件以上のレコードがあるか否かを判別する（ステップＳ９２）。コンテンツ一覧テーブルに１件以上のレコードがない場合（ステップＳ９２；ＮＯ）、制御部４は、ステップＳ８２の処理に進む。
【０１５５】
コンテンツ一覧テーブルに１件以上のレコードがある場合（ステップＳ９２；ＹＥＳ）、制御部４は、コンテンツ一覧テーブルに基づいてコンテンツ一覧画面を生成し、生成したコンテンツ一覧画面を表示部１ｅに表示させ（ステップＳ９３）、ＩＤ＝１０に基づいてコンテンツ一覧画面を生成する第３有効期限前コンテンツ情報提示処理を終了する。
【０１５６】
図１９に、図１８の処理が実行されることにより生成されるコンテンツ一覧テーブルの例を示す。
図１９に示すように、コンテンツ一覧テーブルは、記憶部１ｆに記憶されているコンテンツ情報の数のレコードから構成される。各レコードは、情報表示テキスト、開始年月日時分秒、事業者コード、企業コード、情報コードの複数のフィールドからなる。
【０１５７】
図２０に、ステップＳ９３で表示されるコンテンツ一覧画面の例を示す。
図２０に示すように、コンテンツ一覧画面Ｇ３１には、コンテンツ一覧表示領域Ｅ３１、戻るボタンＢ３１ｃが設けられている。
コンテンツ一覧表示領域Ｅ３１には、コンテンツ一覧テーブルの情報表示テキストと開始年月日時分秒の各フィールドの情報を示す項目がコンテンツ情報毎に表示される。このコンテンツ一覧表示領域Ｅ３１に表示されている項目が押下されると、押下された項目が属するレコードのコンテンツ情報に基づくコンテンツ画面が表示部１ｅに表示されることとなる。即ち、表示部１ｅに表示されるコンテンツ一覧画面のコンテンツ一覧表示領域Ｅ２１と入力部１ｄのタッチパネルとが、一覧報知されたコンテンツ情報のうち、いずれかのコンテンツ情報の選択指示が入力される入力手段として機能する。
【０１５８】
図２１に、図２０に示すコンテンツ一覧画面から遷移したコンテンツ画面の例を示す。
図２１に示すように、コンテンツ画面Ｇ３２には、一覧ボタンＢ３２、有効期限開始情報表示領域Ｅ３２が設けられている。有効期限開始情報表示領域Ｅ３２には、図２０に示すコンテンツ一覧画面において押下された項目が属するレコードのコンテンツ情報の開始日時（ＩＤ＝０４の開始年月日時分秒）が表示される。一覧ボタンＢ３２は、図２０に示すコンテンツ一覧画面に戻る指示を受け付ける。
【０１５９】
図２２に、コンテンツ画面表示処理のフローチャートを示す。
図２２に示すコンテンツ画面表示処理は、図２０に示すコンテンツ一覧画面から図２１に示すようなコンテンツ画面を表示させるものである。なお、図２２に示す処理は、車載器１０の制御部４が各部と協働して実行するものとする。
【０１６０】
コンテンツ一覧画面のコンテンツ一覧表示領域中の項目のうちいずれかの項目が押下され選択されると、制御部４は、コンテンツ一覧テーブルを参照し、選択された項目が属するレコードの事業者コード、企業コード、情報コードを取得する（ステップＳ１０１）。
【０１６１】
制御部４は、記憶部１ｆに記憶されているコンテンツ情報のうち、ステップＳ１０１で取得した事業者コード、企業コード、情報コードが一致するコンテンツ情報を特定する（ステップＳ１０２）。
【０１６２】
制御部４は、コンテンツ一覧画面の情報を保持する（ステップＳ１０３）。そして制御部４は、ステップＳ１０２において特定したコンテンツ情報内のＩＤ＝１０を参照し、ＩＤ＝１０内の各種テキストデータ、画像データ、音声データ等に基づいてコンテンツ画面を生成し、生成したコンテンツ画面を表示部１ｅに表示、又は、音声出力部１ｇから音声出力させ（ステップＳ１０４）、図２２に示す処理を終了する。
【０１６３】
図２３に、コンテンツ一覧画面再表示処理のフローチャートを示す。
図２３に示すコンテンツ一覧画面再表示処理は、図２１に示すコンテンツ画面から図２０に示すコンテンツ一覧画面を再表示させるものである。なお、図２３に示す処理は、車載器１０の制御部４が各部と協働して実行するものとする。
【０１６４】
制御部４は、コンテンツ画面の一覧ボタンＢ３２が押下されると、表示部１ｅに表示しているコンテンツ画面を消去する（ステップＳ１１１）。そして制御部４は、保持しているコンテンツ一覧画面を表示部１ｅに表示させ（ステップＳ１１２）、コンテンツ一覧画面再表示処理を終了する。
【０１６５】
次に、ＩＤ＝２０に基づいてコンテンツ一覧画面を生成する第３有効期限前コンテンツ情報提示処理について説明する。
図２４に、ＩＤ＝２０に基づく第３有効期限前コンテンツ情報提示処理のフローチャートを示す。なお、図２４に示す処理は、車載器１０の制御部４が各部と協働して実行するものとする。また、図１８に示すＩＤ＝１０に基づいてコンテンツ一覧画面を生成する第３有効期限前コンテンツ情報提示処理と異なる部分のみ説明する。
【０１６６】
図１７に示す選択画面Ｇ３の特定地点情報ボタンＢ３ｂが押下されると、制御部４は、記憶部１ｆにコンテンツ情報が１つ以上記憶されているか否かを判別する（ステップ１２１）。ステップＳ１２２〜Ｓ１２４は、ステップＳ８２〜Ｓ８４と同様であるため、説明は省略する。
【０１６７】
制御部４は、ステップＳ１２４後、選択したコンテンツ情報のＩＤ＝００にＩＤ＝２０（情報提供地点）が含まれているか否かを判別する（ステップ１２５）。選択したコンテンツ情報のＩＤ＝００にＩＤ＝２０が含まれていない場合（ステップＳ１２５；ＮＯ）、制御部４は、ステップＳ１３１の処理に進む。
【０１６８】
ステップＳ１２６；ＮＯの場合、ステップＳ１２７；ＮＯの場合、制御部４がステップＳ１３１の処理に進む以外は、ステップＳ１２６〜Ｓ１２８は、ステップＳ８６〜Ｓ８８と同様であるため、説明は省略する。
【０１６９】
制御部４は、ステップＳ１２８後、選択したコンテンツ情報のＩＤ＝２０に含まれる複数の情報提供地点のうちの一つを選択し、選択した情報提供地点に含まれる情報提供中心座標と地図記憶部１ｃに記憶されている地図ＤＢとに基づいて、住所を特定し、コンテンツ一覧テーブルに選択したコンテンツ情報のレコードのフィールドとして登録する（ステップ１２９）。
【０１７０】
制御部４は、選択したコンテンツ情報のＩＤ＝０１に含まれる事業者コードと、ＩＤ＝０２に含まれる企業コード及び情報コードとを取得し、コンテンツ一覧テーブルに選択したコンテンツ情報のレコードのフィールドとして登録する（ステップＳ１３０）。
【０１７１】
制御部４は、ＩＤ＝２０内に未選択の情報提供地点があるか否かを判別する（ステップＳ１３１）。ＩＤ＝２０内に未選択の情報提供地点がある場合（ステップＳ１３１；ＹＥＳ）、制御部４は、ステップＳ１２９の処理に戻る。
【０１７２】
ＩＤ＝２０内に未選択の情報提供地点がない場合（ステップＳ１３１；ＮＯ）、制御部４は、記憶部１ｆ内に未選択のコンテンツ情報があるか否かを判別する（ステップＳ１３２）。
【０１７３】
ステップＳ１３２〜Ｓ１３５は、ステップＳ９０〜Ｓ９３と同様であるため、説明は省略する。
【０１７４】
図２５に、図２４の処理が実行されることにより生成されるコンテンツ一覧テーブルの例を示す。
図２５に示すように、コンテンツ一覧テーブルは、記憶部１ｆに記憶されているコンテンツ情報の数のレコードから構成される。各レコードは、情報表示テキスト、開始年月日時分秒、住所、事業者コード、企業コード、情報コードの複数のフィールドからなる。
【０１７５】
図２６に、ステップＳ１３４で表示されるコンテンツ一覧画面の例を示す。
図２６に示すように、コンテンツ一覧画面Ｇ３３には、コンテンツ一覧表示領域Ｅ３３、戻るボタンＢ３３ｃが設けられている。
コンテンツ一覧表示領域Ｅ３３には、コンテンツ一覧テーブルの情報表示テキストと住所と開始年月日時分秒の各フィールドの情報を示す項目がコンテンツ情報毎に表示される。このコンテンツ一覧表示領域Ｅ３３に表示されている項目が押下されると、押下された項目が属するレコードのコンテンツ情報に基づくコンテンツ画面が表示部１ｅに表示されることとなる。
【０１７６】
図２７に、図２６に示すコンテンツ一覧画面から遷移したコンテンツ画面の例を示す。
図２７に示すように、コンテンツ画面Ｇ３４には、一覧ボタンＢ３４、有効期限開始情報表示領域Ｅ３４ａ、コンテンツ表示領域Ｅ３４ｂ、地図領域Ｅ３４ｃが設けられている。
【０１７７】
有効期限開始情報表示領域Ｅ３４ａには、図２６に示すコンテンツ一覧画面において押下された項目が属するレコードのコンテンツ情報の開始日時（ＩＤ＝０４の開始年月日時分秒）が表示される。コンテンツ表示領域Ｅ３４ｂには、図２６に示すコンテンツ一覧画面において押下された項目が属するレコードのコンテンツ情報のＩＤ＝２０（情報提供地点）に基づくコンテンツが表示される。地図領域Ｅ３４ｃには、図２６に示すコンテンツ一覧画面において押下された項目が属するレコードの住所近傍の地図と当該地図上における住所の位置を示すアイコンが表示される。一覧ボタンＢ３２は、図２６に示すコンテンツ一覧画面に戻る指示を受け付ける。
【０１７８】
図２８に、コンテンツ画面表示処理のフローチャートを示す。
図２８に示すコンテンツ画面表示処理は、図２６に示すコンテンツ一覧画面から図２７に示すようなコンテンツ画面を表示させるものである。なお、図２８に示す処理は、車載器１０の制御部４が各部と協働して実行するものとする。
【０１７９】
なお、ステップＳ１３１〜Ｓ１３３は、ステップＳ１０１〜Ｓ１０３と同様であるため、説明は省略する。
【０１８０】
制御部４は、ステップＳ１３２において特定したコンテンツ情報内のＩＤ＝２０を参照し、ＩＤ＝２０内の各種テキストデータ、画像データ、音声データ等に基づいてコンテンツ画面を生成し、生成したコンテンツ画面を表示部１ｅに表示、又は、音声出力部１ｇから音声出力させ（ステップＳ１３４）、図２８に示す処理を終了する。
【０１８１】
なお、図２７に示すようなコンテンツ画面から図２６に示すコンテンツ一覧画面を再表示させる処理は、図２３に示すコンテンツ一覧画面再表示処理と同様であるため、図示及び説明は省略する。
【０１８２】
以上のように、本実施の形態によれば、コンテンツの有効期間の開始日時前のコンテンツ情報を提示でき、コンテンツ情報が車載器内に存在することを明示的に報知できる。従って、事業者及びユーザ双方にとってコンテンツ情報の非提示による不利益を回避でき、コンテンツ情報の有益性を高め利便性を向上させることができる。
【０１８３】
なお、本発明は、上記実施形態に限らず、適宜変更可能であるのは勿論である。
【図面の簡単な説明】
【０１８４】
【図１】配信システムの構成図である。
【図２】路側無線装置及び路側エリアを説明するための図である。
【図３】車載器の構成を示す図である。
【図４】アップリンク情報の例を示す図である。
【図５】センター装置の機能的構成を示す図である。
【図６】コンテンツ情報のフォーマットの一例を示す図である。
【図７】コンテンツ情報を配信する際におけるセンター装置、路側無線装置、車載器の処理の流れを示す図である。
【図８】提供地点情報テーブル作成処理のフローチャートである。
【図９】提供地点情報テーブルの例を示す図である。
【図１０】第１有効期限前コンテンツ情報提示処理のフローチャートである。
【図１１】設定画面の例を示す。
【図１２】コンテンツの画面遷移を示すツリー構造の例を示す図である。
【図１３】図１２に示すツリー構造の各コンテンツ情報の設定情報を示す図である。
【図１４】第２有効期限前コンテンツ情報提示処理のフローチャートである。
【図１５】図１２に示すコンテンツ情報Ａに基づくコンテンツ画面の例を示す図である。
【図１６】図１２に示すコンテンツ情報Ｂに基づくコンテンツ画面の例を示す図である。
【図１７】選択画面の例を示す図である。
【図１８】ＩＤ＝１０に基づく第３有効期限前コンテンツ情報提示処理のフローチャートである。
【図１９】図１８の処理が実行されることにより生成されるコンテンツ一覧テーブルの例を示す図である。
【図２０】ステップＳ９３で表示されるコンテンツ一覧画面の例を示す図である。
【図２１】図２０に示すコンテンツ一覧画面から遷移したコンテンツ画面の例を示す図である。
【図２２】コンテンツ画面表示処理のフローチャートである。
【図２３】コンテンツ一覧画面再表示処理のフローチャートである。
【図２４】ＩＤ＝２０に基づく第３有効期限前コンテンツ情報提示処理のフローチャートである。
【図２５】図２４の処理が実行されることにより生成されるコンテンツ一覧テーブルの例を示す図である。
【図２６】ステップＳ１３４で表示されるコンテンツ一覧画面の例を示す図である。
【図２７】図２６に示すコンテンツ一覧画面から遷移したコンテンツ画面の例を示す図である。
【図２８】コンテンツ画面表示処理のフローチャートである。
【符号の説明】
【０１８５】
１  カーナビ部
１ａ  カーナビ制御部
１ｂ  現在地検出部
１ｃ  地図記憶部
１ｄ  入力部
１ｅ  表示部
１ｆ  記憶部
１ｇ  音声出力部
２  ＶＩＣＳモジュール
３  ＤＳＲＣ部
３ａ  ＤＳＲＣ制御部
３ｂ  ＤＳＲＣ通信部
３ｃ  記憶部
３ｃ１  アップリンク情報記憶領域
３ｄ  ＥＴＣ処理部
３ｅ  ＩＣカードＩ／Ｆ部
４  制御部
５  無線通信部
１０  車載器
２０  路側無線装置
２０ａ  本体装置
２０ｂ  アンテナ
３０  センター装置
３１  制御部
３２  入力部
３３  表示部
３４  記憶部
３５  通信部
４０  無線通信デバイス
１００  配信システム
Ｂ１１  はいボタン
Ｂ１２  いいえボタン
Ｂ２１  遷移ボタン
Ｂ２２  次へボタン
Ｂ２３  戻るボタン
Ｂ３ａ  地域情報ボタン
Ｂ３ｂ  特定地点情報ボタン
Ｂ３ｃ、Ｂ３１ｃ、Ｂ３３ｃ  戻るボタン
Ｂ３２、Ｂ３４  一覧ボタン
Ｅ２、Ｅ３２、Ｅ３４ａ  有効期限開始情報表示領域
Ｅ３１、Ｅ３３  コンテンツ一覧表示領域
Ｅ３４ｂ  コンテンツ表示領域
Ｅ３４ｃ  地図領域
Ｃ  車両
Ｇ１  設定画面
Ｇ２ａ、Ｇ２ｂ、Ｇ３２、Ｇ３４  コンテンツ画面
Ｇ３  選択画面
Ｇ３１  コンテンツ一覧画面
Ｍ１  メッセージ領域
Ｎ  ネットワーク
Ｚ  路側エリア
【図１】
2010061616.tif 000003
【図２】
2010061616.tif 000004
【図３】
2010061616.tif 000005
【図４】
2010061616.tif 000006
【図５】
2010061616.tif 000007
【図６】
2010061616.tif 000008
【図７】
2010061616.tif 000009
【図８】
2010061616.tif 000010
【図９】
2010061616.tif 000011
【図１０】
2010061616.tif 000012
【図１１】
2010061616.tif 000013
【図１２】
2010061616.tif 000014
【図１３】
2010061616.tif 000015
【図１４】
2010061616.tif 000016
【図１５】
2010061616.tif 000017
【図１６】
2010061616.tif 000018
【図１７】
2010061616.tif 000019
【図１８】
2010061616.tif 000020
【図１９】
2010061616.tif 000021
【図２０】
2010061616.tif 000022
【図２１】
2010061616.tif 000023
【図２２】
2010061616.tif 000024
【図２３】
2010061616.tif 000025
【図２４】
2010061616.tif 000026
【図２５】
2010061616.tif 000027
【図２６】
2010061616.tif 000028
【図２７】
2010061616.tif 000029
【図２８】
2010061616.tif 000030